(57)【要約】【課題】  通常の書籍の外観を有し、かつ普通の本を扱うように手に取ってすぐ内容を閲覧でき、利用者が他の別付けの再生装置やネットワーク環境を必要とせず、通信電波の関係で病院の病室内や電車内、航空機内のように使用が制限されている場所でも制限を受けずにコンテンツを閲覧、聴取でき、さらにネットワーク環境のない病院の病室の入院患者へのお見舞いやネットワーク通信に不慣れな知人への贈答品として利用できる書籍型電子表示装置を提供する。【解決手段】  この書籍型電子表示装置１０，２０，３０は、前面に電子表示画面４が形成され、内部に電子情報処理されたコンテンツが該電子表示画面４を通して再生可能に格納された偏平箱形の表示本体部３と、表示本体部３の片端に接続され、かつ本の表表紙のように表示本体部３に重なる開閉カバー板２とを有している。【選択図】    図３
2016136335.tif 000002
【特許請求の範囲】
【請求項１】
前面に電子表示画面が形成され、内部に電子情報処理されたコンテンツが該電子表示画面を通して再生可能に格納された表示本体部と、
前記表示本体部の片端に接続され、かつ本の表表紙のように該表示本体部に重なる開閉カバー板と、
を有することを特徴とする書籍型電子表示装置。
【請求項２】
前記表示本体部と前記開閉カバー板との接続位置またはその近傍位置に枠形中綴じ板の一端が接続され、前記枠形中綴じ板は前記表示本体部に重なるように、かつ該表示本体部の前面の前記電子表示画面に対応した開口窓をもつ枠形に形成されることを特徴とする請求項１に記載の書籍型電子表示装置。
【請求項３】
前記開閉カバー板の内面に重なる表示シートが該開閉カバー板の一端部にめくり開き可能に取り付けられることを特徴とする請求項１または２に記載の書籍型電子表示装置。
【請求項４】
前記表示シートの一端部が前記開閉カバー板と前記表示本体部との接続位置またはその近傍位置に取り付けられることを特徴とする請求項３に記載の書籍型電子表示装置。
【請求項５】
前記表示シートの一端部が前記開閉カバー板の先端部に取り付けられることを特徴とする請求項３に記載の書籍型電子表示装置。
【請求項６】
前記表示本体部に作動電源となる電池が内蔵され、かつ該電池に対する充電口および電源スイッチが設けられることを特徴とする請求項１乃至５のいずれかに記載の書籍型電子表示装置。
【請求項７】
前記表示本体部はケース体と該ケース体に収納されるコンテンツ再生装置からなることを特徴とする請求項１乃至６のいずれかに記載の書籍型電子表示装置。
【請求項８】
前記表示本体部の電子表示画面にはタッチパネル式の動作選択表示画像が表示されることを特徴とする請求項１乃至７のいずれかに記載の書籍型電子表示装置。
【発明の詳細な説明】
【技術分野】
【０００１】
本発明は、通常の書籍の外観を有し、予め特定の画像や映像、音情報等のコンテンツが格納され、本形態の表表紙を開くだけで簡単に前記コンテンツを閲覧あるいは聴取できる書籍型電子表示装置に関する。
【背景技術】
【０００２】
静止画や動画等の画像、映像あるいは音楽等のコンテンツを必要に応じて視聴できる携帯型の装置として、従来から前記コンテンツを記録したコンパクトディスクやＤＶＤを装置に装填し、閲覧、聴取する再生装置が存在している。このような再生装置を通常の書籍の外観形状に形成した電子アルバムが知られている（特許文献１）。この装置は一般の写真アルバムの装丁を模した外観を有し、画像再生装置を内蔵した本体ケースにメモリカードやＵＳＢ等の記憶媒体を挿入し、前記記憶媒体に収納されたコンテンツを本体ケースの表示画面で目視する構成としている。
【０００３】
また、書籍形態の表紙部分を電子ペーパ等の電子表示体で形成し、この表紙部分にユーザが予め選択した画像のグループ名や代表画像を電子表示するようにして、代表画像に属する画像や前記グループ名から希望のアルバムを探し出すようにした電子アルバムも提案されている（特許文献２）。また、主にアニメ等の動画データを表示する電子書籍表示装置であって、動画表示パラメータにしたがって自動頁めくりの時間間隔を測定しつつ動画データを表示することで、ユーザの指定した時間間隔で正確に自動頁めくりを行えるようにしたものも開示されている（特許文献３）。この場合も書物のデータ記録手段として、差替え可能なＩＣカードやコンパクトディスク、ＣＤ−ＲＯＭ、ＦＤ、光磁気ディスクそのほかの磁気ディスク、レーザカード等を利用することとしている。さらに、上記の記録媒体に加えてネットワークがプログラムコードをダウンロードするようにプログラムコードを担持する記録媒体を用い、実物の本を取り扱うように違和感をなくして使い勝手を向上させた表示装置も開示されている（特許文献４）。
【先行技術文献】
【特許文献】
【０００４】
【特許文献１】実用新案登録第３１２９６１７号公報
【特許文献２】特開２０１１−１９１３８２号公報
【特許文献３】特開平８−３１４４２２号公報
【特許文献４】特開２０１２−１９０２７７号公報
【発明の概要】
【発明が解決しようとする課題】
【０００５】
特許文献１に記載の電子アルバムでは外観は一般の写真アルバムの形態をとるものの、コンテンツはデジタルカメラにより撮影されたデジタル画像が直接書き込まれたメモリカード等の記憶媒体をカメラから外して電子アルバムの本体ケースの差込み口に装填しなければならない。このようにコンパクトディスクやＤＶＤ等の媒体を再生装置にセットして閲覧する従来の形態では、これらの記憶媒体を再生装置にセットする手間がかかるとともに、記憶媒体を常に準備しておく必要がある。また、特許文献４に見られるように、端末にコンテンツをダウンロードして閲覧する方法では、コンテンツを受信できるネットワーク環境が必要となり、従来の紙媒体の書籍や漫画のように手に取ってどこでもすぐに閲覧できる手軽なものとはいえない。さらに従来の方法では、各コンテンツは再生装置に格納されるデータとしてしか存在しないため、一般の紙媒体の書籍やアルバム、漫画本等のようにコレクションとして本棚に並べておくことができない。
【０００６】
また、ネットワーク環境の下でコンテンツを取得して閲覧する場合には、例えば病院の病室内や電車内の特定座席では使用が制限されるといった不都合があった。また、このような電子書籍を例えば贈り物として他人に贈与するときにも、相手によっては使用の仕方が分らないという場合もあった。
【０００７】
本発明は、上述の問題に鑑み、通常の書籍の外観を有し、かつ普通の本を扱うように手に取ってすぐ内容を閲覧できる手軽な書籍型電子表示装置を提供することにある。
【０００８】
本発明はまた、利用者が他の別付けの再生装置やネットワーク環境を必要とせず、どこでも簡単に手に取って静止画や動画等の画像、映像を見たり、あるいは音楽等のコンテンツを楽しむことができる書籍型電子表示装置を提供することを目的とする。
【０００９】
本発明はまた、通信電波の関係で病院の病室内や電車内、航空機内のように使用が制限されている場所でも制限を受けずにコンテンツを閲覧、聴取できる書籍型電子表示装置を提供することを目的とする。
【００１０】
本発明はさらに、再生装置やネットワーク環境のない病院の病室の入院患者へのお見舞いやネットワーク通信に不慣れな知人への贈答品として、あるいは子供向けの絵本、シリーズものの書物、漫画本、映像等のコレクション向け作品、レンタル向け商品、広告用販促品向け等に適したコンテンツが記録された書籍型電子表示装置を提供することを目的とするものである。
【課題を解決するための手段】
【００１１】
本発明によれば、前面に電子表示画面が形成され、内部に電子情報処理されたコンテンツが該電子表示画面を通して再生可能に格納された表示本体部と、前記表示本体部の片端に接続され、かつ本の表表紙のように該表示本体部に重なる開閉カバー板とを有することを特徴とする書籍型電子表示装置が提供される。
【００１２】
本発明の１つの形態によれば、前記表示本体部と前記開閉カバー板との接続位置またはその近傍位置に枠形中綴じ板の一端が接続され、前記枠形中綴じ板は前記表示本体部に重なるように、かつ該表示本体部の前面の前記電子表示画面に対応した開口窓をもつ枠形に形成されることを特徴とする。
枠面の余白部分に絵や文字を記載した枠形中綴じ板を表示本体部に重ねることにより、表示本体部の表示画面に表示されるコンテンツを補完でき、一層充実した書籍型電子表示装置が得られる。
【００１３】
本発明の他の形態によれば、前記開閉カバー板の内面に重なる表示シートが該開閉カバー板の一端部にめくり開き可能に取り付けられることを特徴とする。
枠形中綴じ板を複数枚めくり開き可能に開閉カバー板と表示本体部との間に綴じ込むことにより、表示本体部の表示画面に現れるコンテンツに対応した絵や文字を記載した枠形中綴じ板を表示本体に重ねることができ、さらに充実した書籍型電子表示装置が得られる。
【００１４】
本発明のさらに他の形態によれば、前記表示シートの一端部が前記開閉カバー板と前記表示本体部との接続位置またはその近傍位置に取り付けられることを特徴とする。
この表示シートにも表示本体部の表示画面のコンテンツに対応した絵や文字を記載することができ、さらに充実した書籍型電子表示装置が得られる。
【００１５】
本発明のさらに他の形態によれば、前記表示シートの一端部が前記開閉カバー板の先端部に取り付けられることを特徴とする。
複数枚の表示シートをめくり開き可能に開閉カバー板の先端に設けることにより、表示本体部の表示画面に現れるコンテンツに対応した絵や文字を各々の表示シートに記載することができ、さらに充実した書籍型電子表示装置が得られる。
【００１６】
本発明のさらに他の形態によれば、前記表示本体部に作動電源となる電池が内蔵され、かつ該電池に対する充電口および電源スイッチが設けられることを特徴とする。
電池内蔵とすることにより、電源のある室内だけでなく野外のどこでも使用可能となり、手軽で利用性の高い書籍型電子表示装置が得られる。
【００１７】
本発明のさらに他の形態によれば、前記表示本体部はケース体と該ケース体に収納されるコンテンツ再生装置からなることを特徴とする。
装飾性に優れたケース体を作成することでさらに美観に優れた装丁の書籍型電子表示装置が得られる。
【００１８】
本発明のさらに他の形態によれば、前記表示本体部の電子表示画面にはタッチパネル式の動作選択表示画像が表示されることを特徴とする。
表示本体部の表示画面の動作選択表示項目を指先でタッチすることで、迅速に希望するコンテンツを閲覧することができる。
【発明の効果】
【００１９】
予め画像や映像、音楽や口述等のコンテンツが格納された書籍型電子表示装置となるので、別途再生装置やネットワーク環境がなくても画像や映像、音曲等の所望のコンテンツの閲覧、聴取が可能であり、コンパクトディスクやＤＶＤを再生装置にセットしたり、端末にコンテンツをダウンロードすることなく動作ボタンを押すだけで手軽に、かつ、どこでも画像や映像、音楽等の所望のコンテンツの閲覧できる。
また、外観が書籍のような装丁になっているので、本を読むように画像や映像、音楽等の所望のコンテンツを楽しむことができる。
さらに、ネットワーク機構やコンテンツの差替え機構などが不要であり、電子機器としてはコンテンツのメモリ機構と電子表示機構のみから成る装置として構成できるので、安価に作成が可能である。
【図面の簡単な説明】
【００２０】
【図１】本発明の実施例に係る書籍型電子表示装置を示す図であって、（ａ），（ｂ）はその斜視図、（ｃ）は卓上に複数冊立位姿勢に並べた状態の正面図である。
【図２】本発明の実施例に係る書籍型電子表示装置の開閉カバー板を開いた状態の平面図である。
【図３】図２に示す書籍型電子表示装置を、開閉カバー板を開いて卓上に立位姿勢に載置した状態で示した斜視図である。
【図４】本発明の他の実施例に係る枠形中綴じ板を有する書籍型電子表示装置の開閉カバー板を開いた状態の斜視図である。
【図５】図４に示す実施例で枠形中綴じ板を表示本体部に重ねた状態における書籍型電子表示装置の斜視図である。
【図６】本発明のさらに他の実施例に係る表示シートを有する書籍型電子表示装置の斜視図である。
【発明を実施するための形態】
【００２１】
次に、本発明を、図面を参照しつつ各種の実施例について説明する。
図１（ａ）〜（ｃ）を参照すれば、この実施例に係る書籍型電子表示装置１０は、その外観が通常のハードカバーの本の形態を成し、本のおもて表紙に相当する開閉カバー板２と、前記カバー板２で閉塞される表示本体部３とを有している。表示本体部３には電子的手段で保存されている内容（コンテンツ）が格納されており、表示画面４に表示可能となっている。
【００２２】
図示のように、書籍型電子表示装置１０の開閉カバー板２は見開きの根元縁５が表示本体部３の裏面の片縁に折曲可能に接続されており、さらにこの根元縁５から表示本体部３の厚みにほぼ相当する部位でも折曲可能となっており、これによって開閉カバー板２は前記根元縁５を支持部にして本体部３に対し開閉し得るようになっている。開閉カバー板２の前面には題名その他各種の表示が施されるが、この根元縁５からカバー板前面の稜部６に至る部分は厚みのある本の背部に相当する部分となり、この部分にも各種の表示がなされる。このような形態を有するため、本実施例の書籍型電子表示装置１０は通常の本と同じように複数個上下に積み上げたり、あるいは図１（ｃ）に示すように表示のある背部７を前方に向けて立形に卓上８に並べて設置、保管することが可能である。
【００２３】
図２を参照すれば、カバー板２の裏面２ａ（閉じた時に表示本体部の前面に対峙する面）には表示本体部３に電子的手段で保存されている内容（コンテンツ）の目次、つまり見出し９が箇条書きに記載されている。また、表示本体部３の前面には液晶等による表示が可能な表示画面４が形成されている。図示の実施例では、この表示画面４は表示本体部３の前面の四辺領域に余白を残して矩形状に形成されている。表示画面４の周囲の余白部分、特に下方の表示本体部３の前面余白部分は表示画面に現れる画像や文章、つまりコンテンツに対応して図画や記号、あるいは文字や文章の記載がなされ得るように比較的広い余白領域となっている。また、この余白領域には例えば発行者の名称やロゴマーク等が刻印されてもよい。
【００２４】
図３に示されるように、表示本体部３の一例としては、表示本体部３は表示画面４を露出させる開口部（窓孔）が形成された偏平箱形のケース体と該ケース体に収納されるコンテンツ再生装置とから形成される。この例では、該ケース体の外観が通常のハードカバーの本の形態を成し、本のおもて表紙に相当する開閉カバー板２で閉塞される表示本体部３を為している。なお、コンテンツ再生装置は一般的にタブレット型コンピュータ、タブレット型端末とも呼ばれる視聴覚装置で少なくともコンテンツを記憶する手段と、操作手段と、コンテンツ出力手段としての表示画面４を備えている。なお、コンテンツ出力手段としてのスピーカを備えてもよい。
【００２５】
表示本体部３の他の例としては、上記コンテンツ再生装置の外殻体の外観が通常のハードカバーの本の形態を成し、本のおもて表紙に相当する開閉カバー板２で閉塞される表示本体部３とを為すよう形成するものが挙げられる。
【００２６】
表示本体部３のカバー板接続部位と反対側の側面１１には電源スイッチ１２が設けられている。なお、この書籍型電子表示装置１０の電源としては表示本体部３に電池が内蔵された形態とするのが好ましいが、場合によっては外部商用電源から電源を得るようにしてもよく、このために表示本体部３の前記側面１１に外部電源接続口１３が設けられている。外部電源接続口１３は本体部３に内蔵の電池に対する充電差込み口としても使用される。なお、内蔵される電池は例えば表示本体部３の裏面から交換できるようになっていることは勿論である。さらに実施例の書籍型電子表示装置１０では、表示本体部３の前記側面にＳＤカード等の記憶媒体を挿入する差込み口１５が設けられているが、予め表示本体部３の内部に表示内容のコンテンツが組み込まれている場合、あるいはコンテンツの交換を想定しない場合には、このような記憶媒体差込み口は必ずしも必要とされずコンテンツの交換機能も必要とされない。なお、差込み口１５とこれの読み込み機能を設け表示本体部３に対して記録媒体を差し替えることができるようにすれば、内蔵されたコンテンツに加えて記憶媒体に格納されたコンテンツも閲覧することができ、さらに充実した書籍型電子表示装置が得られる。
【００２７】
表示本体部３の電源スイッチ１２をＯＮにすると、表示本体部３の表示画面４が作動し、予め内蔵されているコンテンツがこの表示画面４に現れる。このとき、表示画面４の一部に、例えばその下辺部近くにタッチパネル式の動作選択表示画像が表示されるようになっており、必要な項目を指等でタッチすることで所望のコンテンツを選択することができる。動作選択表示画像の項目としては、小説や辞書等の文書項目、画像や映像等の静止画、動画項目、あるいは音楽や口述等の音声項目、頁めくり項目、拡大縮小等の指示項目、そのほか各種のコンテンツの選択項目が挙げられる。このように動作選択表示項目を指先等でタッチすることで、所望のコンテンツを表示本体部３の表示画面４に出現させたり、所望の音声、音響情報を内蔵のマイクを通して発生させることができる。また、タッチパネル式の動作選択表示画像の表示には画像の再生、停止、早送り、巻き戻しなどの項目も表示されるようになっており必要な項目を指等でタッチすることで画像の再生、停止、早送り、巻き戻し画像の基本的な操作を行うこともできる。なお、本実施例では各操作はタッチパネル式の動作選択表示画像を通じて行われるが、表示本体部３自体に設けられたボタン式等による入力手段であってもよい。
【００２８】
図４は本発明の他の実施例に係る書籍型電子表示装置２０の開閉カバー板２を開いた状態における前面斜視図である。また図５は図４に示す実施例で枠形中綴じ板（後記）を表示本体部の表示画面に重ねた状態の斜視図である。この実施例では、表示本体部３と開閉カバー板２との間に１枚あるいは複数枚の枠形中綴じ板１６がめくり操作可能に装着されている。枠形中綴じ板１６はその一端（基端）が開閉カバー板２に隣接して表示本体部３のカバー側片縁部１７に開閉可能に接続されている。この枠形中綴じ板１６は表示本体部３の表示画面４と略同じ大きさの開口部１８（窓孔）が形成され、これによって枠形となっており、この枠形中綴じ板１６を表示本体部３の前面１９に重なるように閉じたとき、表示本体部３の表示画面４が枠形中綴じ板１６の開口部１８から露出してコンテンツ画像が目視可能となる。枠形中綴じ板１６の開口部周囲の枠面には、表示画面４に表示されるコンテンツの画像や文章に対応した各種の絵、記号や要約その他の目視情報２１が記載される。
【００２９】
この中綴じ板１６に表示される目視情報２１としては前述の如く物語り風の絵や文章など表示画面４に現れる画像情報に対応した情報が書き込まれてもよく、あるいは書籍型電子表示装置２０のコンテンツが音曲等の音情報の場合に作曲者の紹介、歌詞等任意の情報が書き込まれる。なお、開口部１８の形成された枠形中綴じ板１６は表示本体部３の前面に対面する１枚のみでなくてもよく、複数枚の同様な開口部を有する枠形中綴じ板１６を開閉カバー板２と表示本体部３との間に綴じ込むようにしてもよい。これによって表示画像に対応した異なる情報が枠面に書き込まれた枠形中綴じ板１６を順次表示本体部３に重ねていき、より内容の充実した表示装置とすることができる。
【００３０】
さらに他の実施例として、図６に示すように、追加的な表示シート２２が開閉カバー板２の先端に折りたたみ可能に接続されている。表示シート２２は開閉カバー板２と同じ面積、あるいは該カバー板２より若干小さくなるように形成され、開閉カバー板２に重なるように折りたたんだとき、前記カバー板２および表示本体部３からシート縁部がはみ出さないように配慮されている。好ましくは、この表示シート２２は複数枚開閉カバー板２の先端部に折りたたみ可能に接続され、開閉カバー板２を表示本体部３に対して閉じるときには各々の表示シート２２は開閉カバー板２と表示本体部３との間に挟み込まれるように開閉カバー板２の裏面（該カバー板２を閉じたときに表示本体部３に対面する面）に重ねて折りたたまれる。表示シート２２には種々の絵やイラスト、文字情報が記載される。この場合も表示本体部３の表示画面４に現れる各種の情報に対応した絵、文字、記号あるいは文章が記載され、表示画面４の表示情報の頁送りに対応して、開閉カバー板２に重ねられた表示シート２２を１枚づつカバー板２の先端から外側へ開いていくことができる。図４，図５に示す枠形中綴じ板１６と図６に示す表示シート２２の両方を上述のような形態で設けてもよいことは勿論である。図６はこのような形態の書籍型電子表示装置３０を示している。
【００３１】
本発明の書籍型電子表示装置は開閉カバー板を閉じた状態では通常の本と外観が類似し、本棚や卓上の本立てに並べて収納することが可能であり、使用時にも片手で保持して表示本体部のコンテンツを見たり聴いたりすることができ、また本のように一方の手で本をもち他方の手で頁めくりをするという不便もなく、この電子表示装置を持っている手の指で表示画面の動作選択画像項目をタッチして頁めくりを行うことができる。また、開閉カバー板を表示本体部に対して或る角度に開くことにより、図６のようにこの状態で倒れることなく卓上に載置して表示装置の所望のコンテンツを視聴することができる。さらに本発明の書籍型電子表示装置は予めコンテンツが内蔵されているので、そのまま単体で使用でき、別途に再生装置やネットワークに接続することなく、どこの場所でも静止画や動画等の画像、映像、あるいは音楽等のコンテンツの視聴が可能である。コンテンツの視聴に通信手段を利用しないので、例えば病院の病室や電車内、航空機内等の電源を切る必要のある場所でも自由に使用することができる。
【００３２】
また、本発明の書籍型電子表示装置は、例えば各種お祝いの贈答品あるいは病院患者へのお見舞い品として好みの映画や旅番組等が入った１冊をプレゼントし、病室等で手軽に閲覧可能である。また、例えば子供向けの絵本として、お話と映像がセットになった形態の絵本の提供が可能である。さらにシリーズものの書籍、漫画、映画等のコレクション向け作品として例えば１話ごとに１冊作成することで、シリーズものを貯めていくという感覚も味わえる。あるいはレンタル向け商品として、レンタルビデオ店で１冊借りれば、再生装置等にセットすることなく、そのまま映画等が視聴できる。そのほか、広告用販促品向けパンフレットとして映画の試写会や新商品発表会で映画のトレーラーや新商品の紹介映像が閲覧できる電子パンフレットとしても配布可能である等、多様な利用が期待できる。このように本発明の書籍型電子表示装置は、電子機器の操作に不慣れな老人や子供、書籍のページをめくる動作がし難い者なども含む、あらゆる性別、年代、身体の状態の需要者が簡単な操作で使いこなすことができる装置である。また、その使用場所の電波状態を問わない書籍型電子表示装置を提供できる。さらには書籍型電子表示装置を比較的安価に提供できるものである。
【符号の説明】
【００３３】
２  開閉カバー板
３  表示本体部
４  表示画面
５  根元縁
７  背部
９  見出し
１０，２０，３０  書籍型電子表示装置
１１  側面
１２  電源スイッチ
１３  外部電源接続口
１５  記憶媒体差込み口
１６  枠形中綴じ板
１７  カバー側片縁部
１８  開口部
１９  表示本体部の前面
２２  表示シート
【図１】
2016136335.tif 000003
【図２】
2016136335.tif 000004
【図３】
2016136335.tif 000005
【図４】
2016136335.tif 000006
【図５】
2016136335.tif 000007
【図６】
2016136335.tif 000008